(57)【要約】【課題】行事進行の各場面に於いて、業者が表示画面の操作ボタンにタッチするだけで、利用者希望の音楽情報が進行中の各場面、場面に対応して会場内にスムースに流れること。【解決手段】行事の各進行場面情報にそれぞれ関連付けられた利用者の所望する音楽情報を一時的に格納する記憶装置と、オペレータが表示部に表示されている前記音楽情報に関する音楽選択画面の選択ボタンにタッチすると、前記記憶装置にアクセスし、かつ、当該選択ボタンの入力信号に関連付けられた前記音楽情報を取得する制御部と、該制御部を介して前記音楽情報に制御情報を付加するためのタッチボタン式制御情報付加手段と、前記制御部を介して音楽情報の演奏音を会場内に放出する音楽出力手段を備える行事会場の読み取り再生装置。【選択図】  図２
2005032338.tif 000002
【特許請求の範囲】
【請求項１】
行事の各進行場面情報にそれぞれ関連付けられた利用者の所望する音楽情報を一時的に格納する記憶装置と、オペレータが表示部に表示されている前記音楽情報に関する音楽選択画面の選択ボタンにタッチすると、前記記憶装置にアクセスし、かつ、当該選択ボタンの入力信号に関連付けられた前記音楽情報を取得する制御部と、該制御部を介して前記音楽情報に制御情報を付加するためのタッチボタン式制御情報付加手段と、前記制御部を介して音楽情報の演奏音を会場内に放出する音楽出力手段を備える行事会場の読み取り再生装置。
【請求項２】
請求項１に於いて、音楽情報は、情報記録媒体としての録音済みコンパクトディスクに担持されたものであることを特徴とする行事会場の読み取り再生装置。
【請求項３】
請求項１に於いて、表示部には、オペレータが、当該場面の状況を把握しながら、現在演奏中の音楽情報と、次の場面の音楽情報に対して適時にクロスフェードをかけることができる実行ボタンが設けられていることを特徴とする行事会場の読み取り再生装置。
【請求項４】
請求項１に於いて、制御情報付加手段は、先（現在）の進行場面の音楽情報Ｍ１と、これに続く次の進行場面の音楽情報Ｍ２に対してクロスフェードをかけるためのクロスフェード保存ボタン２０ｃを有していることを特徴とする行事会場の読み取り再生装置。
【請求項５】
請求項１に於いて、音楽情報は、外部装置としての行事場面の音楽編集装置で編集され、かつ、情報記録媒体に各進行場面の名称にそれぞれ関連付けられて記録されていることを特徴とする行事会場の読み取り再生装置。
【請求項６】
請求項１に於いて、制御部は、録音済みコンパクトディスクに担持された音楽情報に対して行事場面情報を関連付ける行事場面情報作成機能を有することを特徴とする行事会場の読み取り再生装置。
【請求項７】
請求項１に於いて、制御部はクロスフェード実行機能２３を有し、該クロスフェード実行機能は、オペレータが表示画面の時間表示欄に表れる計時装置のカウント時間情報を見ながらタッチするクロスフェード実行用ボタン２３ａの入力信号に基づき、当該場面の現在進行形の音楽情報と次の場面の音楽情報とをクロスフェードさせることを特徴とする行事会場の読み取り再生装置。
【請求項８】
請求項１に於いて、制御部は、クロスフェードの進行状況をアナログ的に線の形状で示すクロスフェード進行線作成表示機能２６を有していることを特徴とする行事会場の読み取り再生装置。
【請求項９】
請求項１に於いて、制御部は、クロスフェードの対象となっている音楽の選択ボタンを他の音楽の選択ボタンと識別表示するクロスフェード識別機能２７を有していることを特徴とする行事会場の読み取り再生装置。
【請求項１０】
請求項１に於いて、音楽選択画面Ｇ１の複数個の音楽選択ボタン内の領域に、それぞれ（ａ）行事場面としての披露宴場面名称と、（ｂ）音楽のタイトルとが同時に表示されていることを特徴とする行事会場の読み取り再生装置。
【発明の詳細な説明】
【０００１】
【発明の属する技術分野】
本発明は、結婚式の宴会場、記念式典など、行事進行の所要時間が決まっている行事会場の各場面に於いて、音楽を流す行事会場の読み取り再生装置に関する。
【０００２】
【従来の技術】
先行技術文献の開示義務として、（１）特開平８−２４９８６５号公報、（２）特開２００１−１６７１６５号公報、（３）特開２００３−７６６７６号公報、（４）特開平９−６２２７８号公報を記載する。
【０００３】
上記各公報に記載の発明は、音楽情報を再生する技術的思想ではあるが、共通する点は、入力部としてタッチパネルモニタを利用するものではない。また、利用者の所望する音楽情報（例えば結婚式の当日、宴会場の各場面で流して欲しいバックミュージックの意味。）に関し、業者が、その都度、選択〜編集する必要がある。さらに、宴会場の各場面に対し、表示画面に表れている操作ボタンにタッチしながら、利用者の所望する音楽情報（曲データ）に制御情報を簡単に付加することができない。加えて、従来の技術に関しては、出願人が日本国特許庁のＨＰにて調査したところ、「宴会場、記念式典等の行事の各場面に於いて、業者が表示画面の操作ボタンにタッチするだけで、利用者（例えば新郎新婦）希望の音楽情報（演奏音）が進行中の各場面、場面に対応して会場内にスムースに流す」目的の技術文献を発見することができなかった。
【０００４】
ところで、音楽情報を構成する曲データは、情報記憶媒体の一例としてのＣＤ−ＲＯＭに担持されている。普通一般にＣＤ−ＲＯＭの音楽情報は、音楽再生装置により再生することができるが、その際、音楽再生装置は電子応用機器の一種であるから、リモコンと称される操作入力手段を介して演奏音を途中でカット（演奏停止や中止）し、或いは音量を調整（フェードアウト、フェードイン）をすることができる。
【０００５】
上記の点に関しては、前記（４）の公開公報に開示されている。しかしながら、（４）に記載の先行発明は、発明の属する技術分野が、いわゆるカラオケの技術分野に属するものであり、行事会場の読み取り再生装置に直接的に関係する技術分野ではないと共に、どのような音楽情報に対して、どのような場面で「クロスフェードをかけるか」という点については開示されていない。また、所望する場面にてクロスフェードをかけた場合に於いて、クロスフェードの進捗状況を目視により確認し、又はクロスフェードをかけている音楽情報を確認することなどについても開示されていない。
【０００６】
【発明が解決しようとする課題】
本発明の第１の目的は、宴会場、記念式典等の行事の各場面に於いて、業者が表示画面の操作ボタンにタッチするだけで、利用者（例えば新郎新婦）希望の音楽情報（演奏音）が進行中の各場面、場面に対応して会場内にスムースに流れること。また、操作が簡単であると共に、迅速に各場面に対応することができること。第２の目的は、オペレータが当該場面の状況を把握しながら、当該場面の音楽情報と次の場面の音楽情報に対してタイミング良くクロスフェードをかけることができること。第３の目的は、先の進行場面の音楽情報と次の進行場面の音楽情報とを連動させるためのクロスフェードを自由に保存することができること。その他クロスフェードの進捗状況を目視により確認し、又はクロスフェードをかけている音楽情報を確認することなどである。
【０００７】
【課題を解決するための手段】
本発明の行事会場の読み取り再生装置は、行事の各進行場面情報にそれぞれ関連付けられた利用者の所望する音楽情報を一時的に格納する記憶装置と、オペレータが表示部に表示されている前記音楽情報に関する音楽選択画面の選択ボタンにタッチすると、前記記憶装置にアクセスし、かつ、当該選択ボタンの入力信号に関連付けられた前記音楽情報を取得する制御部と、該制御部を介して前記音楽情報に制御情報を付加するためのタッチボタン式制御情報付加手段と、前記制御部を介して音楽情報の演奏音を会場内に放出する音楽出力手段を備えることを特徴とする。
【０００８】
上記構成に於いて、音楽情報は、情報記録媒体としての録音済みコンパクトディスクに担持されたものであることを特徴とする。また表示部には、オペレータが、当該場面の状況を把握しながら、現在演奏中の音楽情報と、次の場面の音楽情報に対して適時にクロスフェードをかけることができる実行ボタンが設けられていることを特徴とする。また、制御情報付加手段は、先（現在）の進行場面の音楽情報Ｍ１と、これに続く次の進行場面の音楽情報Ｍ２に対してクロスフェードをかけるためのクロスフェード保存ボタン２０ｃを有していることを特徴とする。
【０００９】
また、音楽情報は、外部装置としての行事場面の音楽編集装置で編集され、かつ、情報記録媒体に各進行場面の名称にそれぞれ関連付けられて記録されていることを特徴とする。また制御部は、録音済みコンパクトディスクに担持された音楽情報に対して行事場面情報を関連付ける行事場面情報作成機能を有することを特徴とする。
【００１０】
また、制御部はクロスフェード実行機能２３を有し、該クロスフェード実行機能は、オペレータが表示画面の時間表示欄に表れる計時装置のカウント時間情報を見ながらタッチするクロスフェード実行用ボタン２３ａの入力信号に基づき、当該場面の現在進行形の音楽情報と次の場面の音楽情報とをクロスフェードさせることを特徴とする。
【００１１】
また制御部は、クロスフェードの進行状況をアナログ的に線の形状で示すクロスフェード進行線作成表示機能２６を有していることを特徴とする。また制御部は、クロスフェードの対象となっている音楽の選択ボタンを他の音楽の選択ボタンと識別表示するクロスフェード識別機能２７を有していることを特徴とする。さらに、音楽選択画面Ｇ１の複数個の音楽選択ボタン内の領域に、それぞれ（ａ）行事場面としての披露宴場面名称と、（ｂ）音楽のタイトルとが同時に表示されていることを特徴とする。
【００１２】
【発明の実施の形態】
まず、図１を参照にして本発明の実施環境を説明する。図１は本発明の読み取り再生装置を含む宴会場用音楽再生システムを示している。１はサーバ、２は通信網、３は参加端末である。サーバ１は業者のコンピュータであり、本実施例では行事場面の音楽編集装置と定義されている。通信網２はインターネット２であり、サーバ１を支配（所有、占有）する業者と契約した参加団体（主に企業）が支配する参加端末３などを通信で接続する。
【００１３】
参加端末３は、例えば結婚式の披露宴会場などの宴会場に設置された参加団体のコンピュータであり、利用者の所望する情報記録媒体４のデータを読み取る読み取り音楽再生装置（ここでは「読み取り再生装置」）と定義されている。本発明は、この読み取り再生装置３の具体的構成に関するものである。
【００１４】
情報記録媒体４は、利用者５が直接又は間接的に関与し、かつ、前記行事場面の音楽編集装置１によって制作される録音済みコンパクトディスク（ＣＤ）、ＤＶＤ、ＣＤ−ＲＯＭなどの原盤又はその複製物である。この原盤４等には、所定行事の各場面名称又は／及び各場面のイメージにそれぞれ適合する或いは利用者が希望する音楽情報が、それぞれ各場面に関連付けられて格納されている。
【００１５】
情報記録媒体４は、図１で示すように、外部装置としての行事場面の音楽編集装置１で編集したもの、又は利用者が希望する曲データが担持されている録音済みコンパクトディスク（ＣＤ）、ＤＶＤなどを、例えば新郎新婦５が、結婚式の当日或いは当日前に、読み取り再生装置３が設置されている宴会場まで持参し、かつ、宴会場で読み取り再生装置３の操作職務を担当しているオペレータに渡して「読み取り再生装置３」に読み込んでもらう。もちろん、通信網２を介してサーバ１から参加端末（該読み取り再生装置）３に直接伝送しても良い。
【００１６】
要は行事場面の音楽編集装置１によって制作された情報記録媒体４の情報は、宴会場にて読み取り再生装置３で読み取り、または読み取り再生装置３にダウンロードし、実演時に再生され、例えば結婚式の宴会場の各場面（シーン）にマッチングしてそれぞれタイムリーに流れる。
【００１７】
次に図２は、行事会場の読み取り再生装置３のハードウェア構成図である。行事会場の読み取り再生装置３で再生する一例として結婚披露宴の各場面（シーン）の音楽を再生した場合について説明する。
【００１８】
まず、読み取り再生装置３は、入出力部６、制御部（ＣＰＵ）７、主たる記憶部８、表示部９を有する。制御部７は、システム全体を統括的に制御する。したがって、主たる記憶部８は制御部７が電気的信号を統括的に制御するための制御プログラムを有している。制御プログラムは、結婚披露宴の開始から終了までの各場面の情報及び各場面に適合する音楽情報を制御するが、本実施例では、特に時系列的に現在進行形の披露宴場面の音楽情報に関連付けて次の披露宴場面の音楽情報をタイムリーに再生できる単数又は複数の制御ルーチンを有する。
【００１９】
ここでは、披露宴場に於いて、音楽が次第に消えていく（音量が次第に低くなり、音が消えていくこと）を「フェードアウト（フェードアウトルーチン）」、一方、音楽が次第に聞こえてくる（音量が次第に高くなり、音が明確になること）を「フェードイン（フェードインルーチン）」とするが、本実施例では、制御部７のクロスフェード実行手段（クロスフェード実行ルーチン）により、現在の披露宴場面の終端部分から次の披露宴場面の始端部分との間にフェードアウトとフェードインをタイミング良く同時にかける（以下、これを「クロスフェード（クロスフェードルーチン）」と称する）。
【００２０】
さて、１１はデバイスドライバである。デバイスドライバ１１は、ＣＤ、ＣＤ−ＲＯＭ、磁気テープ等の情報記録媒体４の情報を、情報判別手段１２に送る。本実施例のデバイスドライバ１１は、ＣＤ−ＲＯＭドライバである。このデバイスドライバ１１は、披露宴場面に関する音楽情報を、前述したように通信網２を介して受信することが可能であるから、デバイスドライバを通信受信装置に置換することができる。もちろん、デバイスドライバ１１は、ＣＤ−ＲＯＭドライバに限定するものではない。
【００２１】
情報判別手段１２は、前記デバイスドライバ１１から送られてくる情報記録媒体４の披露宴場面情報ａを、図３で示すように、要因コード、要因コードの披露宴場面名称、披露宴場面名称にそれぞれ関連付けられた再生用音楽情報等を判別する。情報判別手段１２は、要因コード登録手段１２ａ、披露宴場面名称登録手段１２ｂ、再生用音楽情報登録手段１２ｃをそれぞれ有し、これらの登録手段１２ａ、１２ｂ、１２ｃは、一時的記憶装置１３の各記憶領域にそれぞれ情報を記憶する。
【００２２】
すなわち、要因コード登録手段１２ａは、要因コードＡを要因コード記憶領域１３ａに、また披露宴場面名称登録手段１２ｂは、迎賓、新郎新婦入場、媒酌人挨拶、来賓挨拶等の各披露宴場面名称Ｂを行事場面情報記憶領域１３ｂに、そして、再生用音楽情報登録手段１２ｃは、前記各披露宴場面名称にそれぞれ関連付けられた再生用音楽情報Ｃを、演奏時間情報Ｄと共に、再生用音楽情報記憶領域１３ｃにそれぞれ登録（格納）する。したがって、制御部（表示制御部も含む）７は、例えば各披露宴場面名称や音楽情報をインデックス（目録）として表示部９に制御表示することが可能である。
【００２３】
上記の場合に於いて、情報記録媒体４が、曲データが主である録音済みコンパクトディスク（ＣＤ）の時、オペレータは、ポインティングデバイス６ａを利用して、例えば各披露宴場面名称等の行事場面情報を入力する。この行事場面情報は、制御部７の行事場面情報作成機能１０により、図４で示すように、各披露宴場面名称Ｂと音楽情報Ｃとが自動的に関連付けられる。
【００２４】
すなわち、図３では、説明の便宜上、披露宴場面情報ａの内容を区分けして説明しているが、図４で示すように、一時的記憶装置１３に記憶されている披露宴場面情報ａは、それぞれ互いに関連付けられている。本実施例では、要因コード顧客Ａ、各披露宴場面名称Ｂ、各披露宴場面名称にそれぞれ関連付けられた音楽情報Ｃ、各音楽情報の演奏時間Ｄ、演奏時間の合計時間Ｅは、１又は複数のファイル装置の中でそれぞれ互いに関連付けられている。
【００２５】
ところで、披露宴場面情報ａを構成する各披露宴場面名称Ｂ、これに関連付けられた音楽情報Ｃは、符号やコードで識別化され、かつ、披露宴場面における時系列の実行順位が付けられている。また、制御部７がデバイスドライバ１１を介して受け取った又は通信手段を介してダウンロードした前記音楽情報Ｃは、楽曲の演奏中に特定の制御情報を付加することができないので、本実施例では、所望する音楽情報Ｃに対して、少なくともフェードアウト、フェードイン及びクロスフェードを実行するために、後述する実行手段とリンク可能な制御ルーチンを付加或いは設定することができる。
【００２６】
１５は音楽情報（曲データ）出力部である。図５で示すように、オペレータは、表示部９に表示されている音楽情報に関する選択画面（以下、「音楽選択画面Ｇ１」といい、また、曲データそのものの音楽情報と区別するために、音楽のタイトル、アーチスト名、演奏者、音楽のジャンル、演奏時間、演奏楽器等の情報を、単に「音楽」と称する。）を見ながら、例えば披露宴場面名称／音楽１〜披露宴場面名称／音楽１６の選択ボタンのいずれかにタッチする。
【００２７】
オペレータが選択ボタンにタッチすると、制御部７は一時的記憶装置１３にアクセスし、タッチした披露宴場面名称の音楽情報を取得する。音楽情報（曲データ）出力部１５は、制御部７が取得した音楽情報（曲データ）を信号変換等の手段１６に出力する。信号変換等の手段１６は、特に図示しないが、復調手段（デコーダ）及びＤＡ変換器を有している。
【００２８】
本発明の特定要件ではないが、復調手段は、音楽情報を、デジタル音楽データの圧縮処理されているデータをデコードしてデジタルデータとしてＤＡ変換器に出力する機能を有する。またＤＡ変換器は、デジタルデータをアナログの演奏信号に変換して出力する。
【００２９】
したがって、情報記録媒体４としてのＣＤ、或いはＣＤ−ＲＯＭから読み出されたデジタル信号をアナログ信号（演奏信号）として増幅器に出力することができる。１７は信号変換等の手段１６によって変換された演奏信号を増幅する増幅器である。１８は増幅器１７で増幅された演奏信号（演奏音）を外部に放出する音楽出力手段（スピーカ）である。
【００３０】
１９は、各披露宴場面名称における音楽情報の演奏信号を、各披露宴場面名称Ｂの音楽情報Ｃの演奏時間Ｄに対応してそれぞれカウントする計時装置である。制御部（ＣＰＵ）７は、この計時装置１９のカウント値を読み込み可能であると共に、該計時装置１９のカウント値をリセットすることもできる。
【００３１】
従って、ＣＰＵ７は、計時装置のカウント値によってリセット後の経過時間を知ることができる。計時装置１９は、本実施例では、時系列における披露宴場面名称の現在進行形の音楽情報に対して制御情報付加手段２０を介して「クロスフェード」の制御情報を記憶部に設定（保存）することができる。もちろん、該「クロスフェード」の制御情報は、後述するキャンセルボタン２０ｄで取り消すこともできる。
【００３２】
ここで、図５及び図６を参照にして制御情報付加手段２０、クロスフェードの設定（保存）、クロスフェードの実行等について説明する。本実施例の制御情報付加手段２０は、音楽選択画面Ｇ１にタッチボタン（タッチする箇所）として３個設けられている。
【００３３】
すなわち、２０ａは先（現在）の音楽（情報）Ｍ１に対するフェードアウト選択ボタン、２０ｂは次の音楽（情報）Ｍ２に対するフェードイン選択ボタン、そして、２０ｃは予め前記音楽情報Ｍ１と音楽情報Ｍ２とを連動させるためのクロスフェード保存ボタンである。
【００３４】
図５を参照にして説明すると、今仮にオペレータが、音楽選択画面Ｇ１を見ながら、一時的記憶装置１３に格納されている所望する披露宴場面名称の音楽情報にクロスフェードを設定（保存）しておきたいと思った場合、例えばキャンドルサービスの場面、歓談の場面など複数個の演奏音が流れた後に自動的に次の場面の音楽情報を立ち上げたいと思った時（オートクロスフェード機能）は、（先）現在の音楽情報Ｍ１をフェードアウト選択ボタン２０ａで選択し、一方、次の音楽情報Ｍ２をスタンバイしておくために、フェードイン選択ボタンボタン２０ｂで選択し、予め音楽情報Ｍ１及び音楽情報Ｍ２の両方を、クロスフェード保存ボタン２０ｃで記憶部１３に保存しておくことができる。
【００３５】
例えば図４では顧客ＡのＯＯ披露宴会場の進行パターンがＯＯＯであり、所要時間３時間、迎賓の音楽情報Ｍ１の演奏時間１５分、新郎新婦入場の音楽情報Ｍ２の演奏時間１分、媒酌人挨拶の音楽情報の演奏時間５分である場合に於いて、今仮に前記迎賓の音楽情報Ｍ１と新郎新婦入場の音楽情報Ｍ２にクロスフェードを設定（保存）したい場合には、音楽選択画面Ｇ１に表れている格子状の音楽選択ボタンの中から、ボタンＢ１とボタンＢ２とを選択する（それぞれにタッチする意味）。
【００３６】
そうすると、音楽選択画面Ｇ１の上下の選択音楽表示ボックスに、現在の音楽Ｍ１と、次の音楽Ｍ２が表示される。そこで、まず、選択音楽表示ボックスに表示されている現在の音楽（情報）Ｍ１に対してフェードアウト選択ボタン２０ａを利用してフェードアウトを指示する。この場合、例えば最後の曲データの演奏時間を逆算した「３０秒前」又は演奏時間開始後ＯＯ分３０秒という具体にカウント時間を設定する。
【００３７】
次に、選択音楽表示ボックスに表示されている次の音楽（情報）Ｍ２に対してフェードイン選択ボタン２０ｂを利用してフェードインを指示する。この場合、例えば演奏時間開始〜３０秒間という具体にカウント時間を設定する。そして、最後に、オペレータは適宜確認後、音楽情報Ｍ１と音楽情報Ｍ２とを連動させるためクロスフェード保存ボタン２０ｃにタッチする。なお、フェードに関する時間設定に関しては、適宜のボタンが利用される。また、前記クロスフェード保存ボタン２０ｃにタッチした後、キャンセルボタン２０ｄにタッチして自由に保存を取り消すことができる。
【００３８】
２１はフェードアウト設定（保存）、フェードイン設定（保存）及びクロスフェード保存をそれぞれ許可する制御ルーチン設定部である。この制御ルーチン設定部２１は、表示部６のタッチパネルの制御情報付加手段２０からの指示信号を許可し、制御ルーチン２１ａと実行ルーチンコード２３ｂとリンクさせながら、記憶部８又は一時的記憶装置１３に制御情報を格納する。そのために、制御部７は、フェードアウト、フェードイン等の音量制御機能２２、制御情報保存機能、そして、クロスフェード実行機能２３を有している。
【００３９】
前記クロスフェード実行機能２３に関しては、本実施例では、宴会場の場面にタイムリーに適合すること、オペレータが操作ミスをしないこと等の観点から、自動式のみならず、手動式でも、その実行が可能である。したがって、クロスフェードの制御情報を保存することは、本発明の必須要件ではない。
【００４０】
図５で示すように、音楽選択画面Ｇ１には、クロスフェード実行用ボタン２３ａが設けられているが、この実行用ボタン２３ａは、主としてオペレータが、当該場面の状況を把握しながら、現在演奏中の音楽情報と、次の場面の音楽情報に対して適時にクロスフェードをかける場合に用いられる。
【００４１】
すなわち、オペレータが、例えば新郎新婦の入場場面の現に流れている演奏音に対して、次の場面である媒酌人挨拶の場面の演奏音をタイムリーに流したいときには、既にフェードアウト選択ボタン２０ａで選択している演奏音Ｍ１に連動するように、媒酌人挨拶の場面の演奏音Ｍ２オペドイン選択ボタン２０ｂで予め選択しておき（スタンバイしておく）、タイミングを見計らって実行用ボタン２３ａにタッチする。
【００４２】
図６で示すように、この実行用ボタン２３ａにタッチすると、制御ルーチンン２１ａとリンクしているクロスフェード用実行ルーチン２３ｂとが互いに協働し、クロスフェード実行機能２３が起動する。このように、本実施例では、制御情報付加手段２０は、主としてクロスフェードの制御情報を設定（保存）する際に、一方、実行用ボタン２３ａは、主としてオペレータが、手動式でクロスフェードを即時に実行する際に利用される。
【００４３】
ところで、上記のようにオペレータが、表示画面のタッチパネルにタッチしてクロスフェードの実行信号を制御部（ＣＰＵ）７に与える実施例の場合には、望ましくは音楽選択画面Ｇ１等に表示されている計時装置１９の時間情報１９ａを目視にて確認する。
【００４４】
そこで、宴会場にいるオペレータが手動式でクロスフェードを設定する実施例の場合には、当該披露宴場面名称の音楽情報Ｍ１と次の披露宴場面名称の音楽情報Ｍ２との関係を考慮しながら、その実行タイミングを良好にするために、計時装置１９のカウント時間情報１９ａを表示する時間情報表示欄２５を音楽選択画面Ｇ１に設けている。
【００４５】
このようにして、本発明の制御部７は、表示部９に設けられているクロスフェード保存手段２０ｃを介して自動的にクロスフェードの制御情報を記憶部に保存し、所定の時間に達したならば自動的に現在進行形の音楽情報にクロスフェードをかけることが可能となる。
【００４６】
ところで、前述した入出力部６は、本実施例では表示部９を兼用し、図５で示すように、該表示部９に「披露宴場面名称の目録並びに音楽」を表示する。したがって、入出力部６は、タッチパネル式の入力操作部である。
【００４７】
入出力部６はタッチパネルモニタであるから、オペレータは表示部９に表れる一または複数の表示画面を見ながら、音楽情報に関する披露宴場面名称の区分けされた格子状のソートスイッチに指やペンでタッチし、音楽情報の選択、その決定、場面の切り替え、「フェードアウトの時間設定」、「フェードインの時間設定」、「クロスフェードの設定或いは実行」など各種の操作を行うことができる。なお、入力部は、前述したように、入出力制御部を介して制御手段（ＣＰＵ）７に接続するキーボード、マウス等のポイティングデバイス６ａも含んでいる。
【００４８】
図７はクロスフェード実行画面Ｇ２の一例を示す。本実施例では、付加的要件として、制御部７は、クロスフェード進行線作成表示機能（以下、「進行線機能」という）２６を有している。この進行線機能２６は、オペレータの視覚に対して時間情報表示欄２５のデジタル的な時間情報のみならず、クロスフェードの進行状況をアナログ的に線の形状で示唆するものである。
【００４９】
図７で示すように、進行線機能２６は、時間情報表示欄２５の時間情報１９ａと共に、音楽情報Ｍ１．Ｍ２の既に演奏した部分は消去或いは仮想線で示し、一方、前途の演奏した部分は、実線で示されている。なお、図７では、クロスフェードの対象となっている音楽選択ボタン（披露宴場面名称／音楽１と披露宴場面名称／音楽２）Ｂ１．Ｂ２は、識別表示（例えば網掛け、点滅、点灯、括りなど）となっている。これは制御部７のクロスフェード識別機能２７によるものである。
【００５０】
図８は、クロスフェードを設定した後の一時的記憶装置１３に格納されている音楽情報に関するデータの構造を示す説明図である。図８から明らかなように、現在の音楽情報Ｍ１と次の音楽情報Ｍ２にクロスフェードを設定すると、音楽情報Ｍ１には、音量が演奏途中の設定ポイントからマイナス方向に減じる制御情報が付加される（フェードアウト）。一方、音楽情報Ｍ２には、音量の初期段階からプラス方向に増える制御情報が付加される（フェードイン）。
【００５１】
このように音楽情報Ｍ１の各ファイルＦ１．Ｆ２には、披露宴場面情報、該披露宴場面情報に対して利用者５が予め決定した再生音楽情報、時系列の各披露宴場面に対応する前後音楽の切替え時の音量変化に関して一定の処理（クロスフェードの仕事）をする制御情報が格納されている。
【００５２】
図９は、披露宴の準備を示す概略的なフローチャートである。クロスフェード実行機能２３に関しては、本実施例では、（ア）自動式で機能する場合と、（イ）手動式で機能する場合がある。どの場面を自動式にし、一方、どの場面を手動式にするかは、オペレータの判断次第、或いは利用者の希望次第である。ここでは前記（ア）のケースについて説明する。
【００５３】
ステップＳ０１は、披露宴会場に於いて、情報記憶媒体４を読み取り再生装置３で読み取る準備をする。この段階では、オペレータは顧客Ａ並びに情報記憶媒体４を確認の上、読み取り再生装置３のドライブ挿入口に対して情報記憶媒体４をセットする。ステップＳ０２は、デバイスドライバ１１で披露宴場面情報を読み取る。ステップＳ０３は、情報判別手段１２を介して読み取り再生装置３の一時的記憶装置１３に要因コードと共に披露宴場面情報を保存する。ステップＳ０４は、披露宴の準備終了である。
【００５４】
図１０は会場での音楽再生を示す概略的なフローチャートである。ステップＳ０５は、披露宴開始である。ステップＳ０６は、披露宴の進行を示す。披露宴の進行は情報記憶媒体４に記録されていた通り、迎賓、新郎新婦入場、媒酌人挨拶、来賓祝辞、乾杯、ケーキ入刀、歓談………と進む（図４参照）。そこで、ステップＳ０７は、オペレータが進行状況に対応して音楽選択画面の選択ボタンＢ１、Ｂ２………を順番にタッチする段階である。もし、オペレータが、クロスフェードを設定する必要がない場合には、そのまま各披露宴場面に対応して順次選択ボタンＢ１、Ｂ２………にタッチする。オペレータが、図５に示す各選択ボタン音楽１〜音楽１６にタッチすると、会場には、それぞれの場面に関連付けられた利用者所望の演奏音が流れ、所定時間に達すると、全宴会場面の音楽情報の処理が終了する。
【００５５】
一方、ステップＳ０８は、クロスフェードの制御情報を設定保存するために、又は設定保存しないで最適場面でクロスフェードを即時実行するために、フェードアウト選択ボタンにタッチして音楽情報Ｍ１を選択し、一方、フェードイン選択ボタンにタッチしてスタンバイの音楽情報Ｍ２を選択する。
Ｓ０９はオペレータが、クロスフェード保存ボタンにタッチし、当該制御情報を一時的記憶装置１３に保存する。一方。ステップＳ１０は、スタンバイの音楽情報Ｍ２の披露宴場面がやってきた場合に、オペレータが、タイミングを見計らってクロスフェード実行ボタンにタッチする。そうすると、図７で示すように、自動又は手動式でクロスフェードの実行が開始される。
【００５６】
【実施例】
本実施例に於いて、表示部９に表示されている音楽情報に関する選択画面（音楽選択画面Ｇ１）には、例えば披露宴場面名称／音楽１〜披露宴場面名称／音楽１６の選択ボタンが「格子状」に表れているが、この表示態様は一例であり、例えば、披露宴場面名称／音楽１〜披露宴場面名称／音楽ｎを、環状或いは環状的に表示しても良い。要は、音楽選択画面Ｇ１の複数個の音楽選択ボタン内の領域に、それぞれ（ａ）行事場面としての披露宴場面名称或いはそれを意味するアイコン、及び（ｂ）音楽のタイトル或いはアッチスト名を意味する音楽１〜音楽ｎが表示されていれば良い。
【００５７】
また、付加的要件として、制御部７は、クロスフェード進行線作成表示機能（進行線機能）２６を有しているが、該進行線機能２６は、クロスフェードの進行状況をアナログ的に線の形状で示すものであるから、進行線は、「会場内に流れる音量情報」を示すものである。したがって、進行線に、音量情報と時間情報を持たせて、適宜、均等の範囲で設計変更しても良い。
また、付加的要件として、制御部７のクロスフェード識別機能２７は、図７で示すようにクロスフェードの対象となっている音楽選択ボタンＢ１．Ｂ２を、網掛け、点滅、点灯、括りなどで識別表示するが、この場合音楽選択ボタンＢ１．Ｂ２以外の箇所にクロスフェードの対象となっている音楽（ここでは、「場面」又は／及び「タイトル」）に１又は複数の識別標識を付しても良い。
【００５８】
【発明の効果】
以上の説明から明らかなように、本発明にあっては、次に列挙するような効果がある。
（１）結婚式の宴会場、各種の記念式典等の行事進行の各場面に於いて、業者が表示画面の操作ボタンにタッチするだけで、利用者（例えば新郎新婦）希望の音楽情報（演奏音）が進行中の各場面、場面に対応して会場内にスムースに流れる。タッチパネル式なので、業者にとっては、操作が簡単である。したがって、迅速に各場面に対応することができる。
（２）オペレータが当該場面の状況を把握しながら、当該場面の音楽情報と、次の場面の音楽情報に対してタイミング良く、クロスフェードをかけることができる。また、先の進行場面の音楽情報と次の進行場面の音楽情報とを連動させるためのクロスフェードを自由に保存することができる。
（３）実施例によっては、外部でＣＤ−ＲＯＭ等の情報記録媒体に、行事に出席する利用者の希望を組み込んだ、例えば披露宴情報を、予め宴会場の進行状況を踏まえた上で、各場面、場面に関連付けられ音楽情報を格納しておき、一方、業者は、該情報記録媒体の披露宴情報を読み取り、かつ、実演時、各場面を見ながら表示画面の操作ボタンに触れれば良いだけであるから、利用者の音楽情報の再生に関して、間違う、音楽情報がタイムリーに流れないなどの操作ミスを未然に防止することができる。
（４）その他クロスフェードの進捗状況を目視により確認し、又はクロスフェードをかけている音楽情報を確認することができる。
【図面の簡単な説明】
図１乃至図１０は本発明の一実施例を示す各説明図。
【図１】本発明の読み取り再生装置の実施環境の説明図。
【図２】読み取り再生装置のハードウェア構成図。
【図３】情報記録媒体を読み取り再生装置の一時的記憶装置に格納する説明図。
【図４】一時的記憶装置の内容並びにＣＤ−ＲＯＭに担持されているデータの説明図。
【図５】表示部としてのタッチパネルモニタに表れる音楽選択画面の一例を示す説明図。
【図６】本発明の主要部の関連構成を説明する説明図。
【図７】クロスフェードの実行画面の一例を示す説明図。
【図８】制御情報付加後の一時的記憶装置に格納されているデータ構造の説明図。
【図９】披露宴の準備を示す概略的なフローチャート。
【図１０】会場での音楽再生を示す概略的なフローチャート。
【符号の説明】
１…サーバ、２…通信網、３…参加端末（読み取り再生装置）、５…利用者、６…入出力部、７…制御部（ＣＰＵ）、８…主たる記憶部、９…表示部、１０…行事場面情報作成機能、１１…デバイスドライバ、１２…情報判別手段、１２ａ…要因コード登録手段、１２ｂ…披露宴場面名称登録手段、１２ｃ…再生用音楽情報登録手段、１３…一時的記憶装置、ａ…披露宴場面情報、１３ａ…要因コード記憶領域、１３ｂ…行事場面情報記憶領域、１３ｃ…再生用音楽情報記憶領域、Ａ…要因コード、Ｂ…各披露宴場面名称、Ｃ…各音楽情報、Ｄ…各音楽情報の演奏時間、Ｅ…演奏時間の合計時間、１５…音楽情報出力部、１６…信号変換等の手段、１７…増幅器、１８…音楽出力手段（スピーカ）、１９…計時装置、１９ａ…カウント時間情報、２０…制御情報付加手段、２０ａ…フェードアウト選択ボタン２０ｂ…フェードイン選択ボタン２０ｃ…クロスフェード保存ボタン、Ｇ１…音楽選択画面、Ｂ１．Ｂ１…選択ボタン、Ｇ２…クロスフェード実行画面、２１…制御ルーチン設定部、２２…音量制御機能、２３…クロスフェード実行機能、２５…時間情報表示欄、２６…クロスフェード進行線作成表示機能、２７…クロスフェード識別機能。
【図１】
2005032338.tif 000003
【図２】
2005032338.tif 000004
【図３】
2005032338.tif 000005
【図４】
2005032338.tif 000006
【図５】
2005032338.tif 000007
【図６】
2005032338.tif 000008
【図７】
2005032338.tif 000009
【図８】
2005032338.tif 000010
【図９】
2005032338.tif 000011
【図１０】
2005032338.tif 000012